(57)【要約】【課題】  特定の錠剤取出手段のみが高頻度に利用されると、あまり利用されていない錠剤取出手段には不具合は発生しなくとも、高頻度に利用された錠剤取出手段に不具合が生じてしまい、錠剤取出装置のメンテナンスが早期に必要となってしまうことが懸念される。【解決手段】  錠剤取出手段の動作実績を錠剤取出手段ごとに記憶させておき、この動作実績に基づいて、錠剤シートを投入する投入部を決定することにより、複数の錠剤取出手段のうち、特定の錠剤取出手段が高頻度に利用されてしまう状況を防止でき、錠剤取出装置のメンテナンスの回数が必要となる頻度を低減することができる。【選択図】  図１２
2016064121.tif 000002
【特許請求の範囲】
【請求項１】
投入部に投入された錠剤シートから錠剤を取り出す錠剤取出動作を行う錠剤取出手段を複数と、
前記錠剤取出手段の動作実績を、前記複数の錠剤取出手段ごとに記憶する記憶手段と、
処方データに含まれる錠剤の情報を取得する取得手段と、
前記取得手段で取得した錠剤の錠剤シートを前記複数の錠剤取出手段のいずれの投入部に投入すべきかを、前記記憶手段に記憶された動作実績を用いて決定する決定手段と、
を有することを特徴とする錠剤取出装置。
【請求項２】
前記決定手段は、前記取得手段で取得した錠剤の錠剤シートが予め定められている条件に基づいて前記複数の錠剤取出手段のいずれの投入部に投入すべきかを決定できなかった場合に、前記記憶手段に記憶された動作実績に基づいて決定することを特徴とする請求項１に記載の錠剤取出装置。
【請求項３】
前記決定手段は、前記複数の錠剤取出手段のうち、前記動作実績が最も少ない錠剤取出手段に錠剤シートを割り当てることを特徴とする請求項２に記載の錠剤取出装置。
【請求項４】
前記決定手段は、前記動作実績が最も少ない錠剤取出手段が複数ある場合には、ユーザに当該複数の錠剤取出手段のうちいずれの錠剤取出手段に割り当てるかを選択させ、当該選択された錠剤取出手段に錠剤シートを割り当てることを特徴とする請求項３に記載の錠剤取出装置。
【請求項５】
前記動作実績は、錠剤取出動作が行われた動作回数であることを特徴とする請求項１乃至４のいずれか１項に記載の錠剤取出装置。
【請求項６】
前記錠剤取出手段による錠剤取出動作によって錠剤が取り出されたかを判断する判断手段と、
前記判断手段により、錠剤取出動作により錠剤が取り出されなかったと判断された場合に、前記錠剤取出手段に再度の錠剤取出動作を行わせるように制御する制御手段とを更に有し、
前記記憶手段は、前記錠剤取出動作及び前記再度の錠剤取出動作のいずれも、動作回数として記憶していることを特徴とする請求項５に記載の錠剤取出装置。
【請求項７】
前記動作実績は、前記錠剤取出手段へ錠剤シートを搬送する搬送回数であることを特徴とする請求項１乃至４のいずれか１項に記載の錠剤取出装置。
【請求項８】
前記取得手段が複数の錠剤の情報を取得した場合には、前記決定手段は、錠剤の取出数が多いものから前記複数の錠剤取出手段のいずれの投入部に投入すべきかを決定することを特徴とする請求項１乃至７のいずれか１項に記載の錠剤取出装置。
【請求項９】
錠剤シートから錠剤を取り出す錠剤取出動作を行う複数の錠剤取出手段を備える錠剤取出装置の制御方法であって、
前記錠剤取出手段の動作実績を、前記複数の錠剤取出手段ごとに記憶手段に記憶する記憶工程と、
処方データに含まれる錠剤の情報を取得する取得工程と、
前記取得工程で取得した錠剤の錠剤シートを前記複数の錠剤取出手段のいずれの投入部に投入すべきかを、前記記憶手段に記憶された動作実績を用いて決定する決定工程と、
を有することを特徴とする制御方法。
【発明の詳細な説明】
【技術分野】
【０００１】
本発明は、錠剤取出装置及び錠剤取出装置の制御方法に関する。
【背景技術】
【０００２】
これまでの調剤業務では、錠剤シート（ＰＴＰシート）で提供されている錠剤（薬）や散薬を一包化する際に、人の手によって錠剤シートから錠剤を取り出し、１回分ごとに錠剤を分包機へセットする必要であるため、作業が煩雑であるという問題があった。
【０００３】
そのため、特許文献１に開示されるような、分包作業を自動で行うことができる錠剤分包装置の開発が行われている。特許文献１には、錠剤取出手段の投入部に投入された錠剤シートを、錠剤取出位置にまで搬送し、錠剤取出手段で錠剤収容部を押圧して錠剤を取り出し、この取り出された錠剤を自動で分包することができる錠剤分包装置が開示されている。そして、この錠剤分包装置には、錠剤取出手段が複数設けられており、同時に複数の錠剤シートから錠剤の取出が行えるように設けられていることが開示されている。
【先行技術文献】
【特許文献】
【０００４】
【特許文献１】特開２０１３−２８４０６号公報
【発明の概要】
【発明が解決しようとする課題】
【０００５】
ところで、これまで調剤業務を行うユーザは、特許文献１に開示されるような錠剤取出装置を用いて分包作業を行う際には、錠剤シートを投入する投入部を自由に決めて錠剤の取出動作を行っていた。
【０００６】
しかしながら、ユーザが自由に利用する錠剤取出手段を決めていると、特定の錠剤取出手段のみ高頻度に利用されてしまう状況が生じる可能性がある。このように特定の錠剤取出手段のみが高頻度に利用されると、あまり利用されていない錠剤取出手段には不具合は発生しなくとも、高頻度に利用された錠剤取出手段に不具合が生じてしまい、錠剤取出装置のメンテナンスが早期に必要となってしまうことが懸念される。
【０００７】
そこで本発明は上記課題を鑑み、錠剤取出装置に搭載されている複数の錠剤取出手段のうち、特定の錠剤取出手段が高頻度に利用されてしまう状況を防止し、錠剤取出装置のメンテナンスが必要となる頻度を低減できる仕組みを提供することを目的としたものである。
【課題を解決するための手段】
【０００８】
上記課題を解決するために、本発明の錠剤取出装置では、投入部に投入された錠剤シートから錠剤を取り出す錠剤取出動作を行う錠剤取出手段を複数と、前記錠剤取出手段の動作実績を、前記複数の錠剤取出手段ごとに記憶する記憶手段と、処方データに含まれる錠剤の情報を取得する取得手段と、前記取得手段で取得した錠剤の錠剤シートを前記複数の錠剤取出手段のいずれの投入部に投入すべきかを、前記記憶手段に記憶された動作実績を用いて決定する決定手段と、を有することを特徴としている。
【発明の効果】
【０００９】
このように、錠剤取出手段の動作実績を錠剤取出手段ごとに記憶させておき、この動作実績に基づいて、錠剤シートを投入する投入部を決定することにより、複数の錠剤取出手段のうち、特定の錠剤取出手段が高頻度に利用されてしまう状況を防止でき、錠剤取出装置のメンテナンスの回数が必要となる頻度を低減することができる。
【図面の簡単な説明】
【００１０】
【図１】包装装置と錠剤供給装置を示す図である。
【図２】本発明に係る錠剤供給システムのハードウェアブロック図である。
【図３】錠剤取出ユニットの内部構造を示す図である。
【図４】錠剤取出ユニットの内部構造を示す図である。
【図５】錠剤供給装置の内部構造を示す図である。
【図６】錠剤供給装置の内部を横（正面から見て右側）から見た図である。
【図７】包装ユニットの内部構造を示す図である。
【図８】（ａ）処方箋（処方内容）の一例を示す図である。（ｂ）調剤業務を行うユーザが自由に錠剤取出ユニットを選択して使用した際の錠剤取出ユニットごとの動作回数の一例である。
【図９】錠剤取出動作の流れを説明するフローチャートである。
【図１０】錠剤シートの割当位置を決定する流れを説明するフローチャートである。
【図１１】錠剤シートの割当位置を決定する流れを説明するフローチャートである。
【図１２】錠剤シートの割当位置を決定する流れを説明するフローチャートである。
【図１３】錠剤取出ユニットごとに錠剤取出動作の動作回数を記憶したテーブルの一例である。
【図１４】（ａ）錠剤取出ユニットを指定する画面の一例である。（ｂ）錠剤の割当状況を確認する画面の一例である。
【図１５】調剤業務を行うユーザに、錠剤シートの投入位置を知らせる画面の一例である。
【図１６】錠剤シートの割当位置を決定する流れを説明するフローチャートである。
【図１７】錠剤シートの割当位置を決定する流れを説明するフローチャートである。
【図１８】錠剤取出ユニットごとに錠剤シートの搬送回数を記憶したテーブルの一例である。
【図１９】錠剤シートの割当位置を決定する流れを説明するフローチャートである。
【発明を実施するための形態】
【００１１】
以下、図面を用いて、本発明の錠剤供給システム（図１）について説明する。
【００１２】
図１は、供給された錠剤を包装する包装装置５と錠剤を取り出して包装装置５（以下、分包装置とも称する）に供給する錠剤供給装置１０（以下、錠剤取出装置とも称する）と、手撒き投入部１０２と、散薬投入部１０３を含む錠剤供給システム（以下、錠剤取出システムとも称する）を示す図である。錠剤供給装置１０には、複数の錠剤取出ユニット１が搭載されており、この錠剤取出ユニット１により錠剤シート（ＰＴＰシート）から錠剤が取り出される。
【００１３】
このような錠剤供給システムには、錠剤供給システムを管理する情報処理装置３００及び調剤業務における処方内容を管理する情報処理装置４００が通信ケーブルにより接続されている。このような情報処理装置３００が、（１）包装装置５に設けられたタッチパネル式のディスプレイ１０１で入力される処方内容、（２）情報処理装置３００にユーザによって直接入力される処方内容、（３）情報処理装置４００から取得する処方箋データ、を用いて錠剤取出ユニット１に錠剤の取出動作及び分包動作を行わせることができる。また、情報処理装置３００は、包装装置５や錠剤供給装置１０と常に通信することができ、錠剤取出の状況を把握することができる。
【００１４】
なお、情報処理装置３００は、包装装置５に内蔵されていてもよいし、調剤業務における処方箋を管理するための情報処理装置４００は、設けなくとも取出動作及び分包処理を行うことはできる。
【００１５】
なお、本実施形態においては、錠剤供給システムの錠剤取出ユニット１が１８セット設けられており、最下段左側から右側に向かってユニット１、ユニット２・・・ユニット６、さらに中断左側から右側に向かって、ユニット７、ユニット８・・・ユニット１２、さらに最上段左側から右側に向かってユニット１３、ユニット１４・・・ユニット１８となるように、ユニット番号が割り当てられている。
【００１６】
図２は、錠剤供給システムのハードウェア構成の一例についてブロック図を用いて説明する。ここでは、情報処理装置３００のＣＰＵ３０と、包装装置５のＣＰＵ４１と、錠剤供給装置１０のＣＰＵ１１とがそれぞれ連携して、包装装置５が制御する各装置（各ユニット）、及び、錠剤供給装置１０が制御する各装置（各ユニット）の各種動作を制御している一例を示している。しかし１つのＣＰＵが、錠剤供給システムの全ての各装置を制御する構成でも構わない。また、ここでは錠剤供給装置１０にＣＰＵが１つ設けられている状態を図示しているが、錠剤取出ユニット１ごとにＣＰＵを設けてもよいし、錠剤取出ユニット１の段ごとにＣＰＵを設けてもよい。
【００１７】
まず情報処理装置３００（４００）のハードウェア構成について説明する。情報処理装置３００のＣＰＵ３０は、システムバスに接続される各デバイスやコントローラを統括的に制御することができる。また、ＲＯＭ３１あるいは外部メモリ３６には、ＣＰＵ３０の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３３は、ＣＰＵ３０の主メモリ、ワークエリア等として機能する。ＣＰＵ３０は、処理の実行に際して必要なプログラム等をＲＡＭ３３にロードして、プログラムを実行することで各種動作を実現するものである。
【００１８】
また、ＣＰＵ３０は、キーボードや不図示のマウス等の入力端末２０９からの入力を制御する。ビデオコントローラ（ＶＣ）２０６は、ディスプレイ２１０等の表示器への表示を制御することもでき、さらに、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標ＦＤ）或いはＰＣＭＣＩＡカードスロットにアダプタを介して接続されるコンパクトフラッシュメモリ等の外部メモリ２１１へのアクセスを制御することもできる。
【００１９】
またＩ／Ｆ３２は、ネットワークを介して外部機器と接続・通信するものであり、本実施形態においては包装装置５のＩ／Ｆ４０と通信可能に接続されている。
【００２０】
次に、包装装置５のハードウェア構成について説明する。包装装置５のＣＰＵ４１は、バスに接続されている各デバイスを統括的に制御することができる。ＲＯＭ４２にはＣＰＵ４１の制御ブログラムや各種制御プログラムが記憶されている。ＲＡＭ４３は、ＣＰＵ４１が動作するためのシステムワークメモリとして機能する。ＣＰＵ４１は、タッチパネル式のディスプレイ１０１に対して表示制御したり、ディスプレイ１０１のタッチパネル機能を入力端末５０２としてユーザから情報の入力を受け付けたり、プリンタ５０６に印刷指示を出したりすることもできる。さらにＣＰＵ４１は、包装装置５の散薬投入部１０３から投入された散薬を１包に包装する際に動作させる散薬分包機構４５を制御したり、ユーザから手撒き投入部１０２に手撒きされた錠剤を包装する際に動作させる手撒き投入機構４６を制御したりすることができる。そして包装装置５と錠剤供給装置１０とは、包装装置５のＩ／Ｏ４４と錠剤供給装置１０のＩ／Ｏ１２とで通信可能に接続されている。
【００２１】
次に、錠剤供給装置１０のハードウェア構成について説明する。錠剤供給装置１０のＣＰＵ１１は、バスに接続されている各デバイスを統括的に制御することができる。ＲＯＭ１４にはＣＰＵ１１の制御ブログラムや各種制御プログラムが記憶されている。ＲＡＭ１３は、ＣＰＵ１１が動作するためのシステムワークメモリとして機能する。ＣＰＵ１１は、さらに押出し機構における取出動作を制御したり、錠剤シートを搬送する搬送機構１６を制御したりすることもできる。
【００２２】
このようなハードウェア構成においては、以下のように錠剤取出を行うように制御することができる。まず包装装置５のＣＰＵ４１が、錠剤供給装置１０のＣＰＵ１１に対して、錠剤の取出動作命令を送信する。そして、錠剤供給装置１０のＣＰＵ１１が、当該取出動作命令に従って、押出し機構や搬送機構１６を制御して錠剤取出動作を行わせることができる。また、錠剤供給装置１０のＣＰＵ１１は、包装装置５のＣＰＵ４１に対して、錠剤取出動作の状況を示す動作情報を送信することもできる。
【００２３】
次に、図３を用いて、錠剤取出ユニット１の内部構造について説明する。
【００２４】
図３は、錠剤取出ユニット１の内部構造を示す図である。なお、図３は、錠剤取出ユニット１が２つ並んで配置されている例を示している。
【００２５】
錠剤取出ユニット１は、錠剤収容部５１０が重力方向に関して上側に来るような状態で複数の錠剤シート５１を積層させて投入可能な投入口２０３（投入部）と、錠剤シート５１を搬送する搬送機構１６と、搬送機構１６により搬送された錠剤シート５１が載置される載置台と、載置台上の錠剤シート５１の錠剤収容部の側から押圧して錠剤を取り出す押出し機構とを有している。すなわち載置台上が除包位置（取出位置）として用いられる。錠剤シート５１は、錠剤を収容する錠剤収容部５１０を有するシート本体の下面に、アルミニウム等からなる金属箔などを用いた封止シートを設けることによって錠剤が錠剤収容部に密封されている。さらに錠剤シート５１は、シート部上に凸状の錠剤収容部が幅方向に間隔をおいて２列に並んだ形態である。各列をなす複数の錠剤収容部は錠剤シート５１の長さ方向に沿って並んでいる。
【００２６】
なお、錠剤シート５１としては、シート部上に錠剤収容部が２列に並んだ形態のものに限らず、錠剤収容部が錠剤シート５１の長さ方向に１列に並んだ形態や、錠剤収容部が幅方向に間隔をおいて３列以上の複数列に並んだ形態も可能である。
【００２７】
次に図４及び図５を用いて、錠剤シートからの錠剤の取出動作及び、取出された錠剤の挙動について説明する。図４は、錠剤取出ユニット１の内部構造（断面）を示す図であり、錠剤取出ユニット１を右側面から見た図である。図５は、錠剤供給装置１０を装置の後方側から見た内部構造を示す図である。
【００２８】
図４に示すように、錠剤の取出動作は、投入口２０３にセットされた錠剤シートを、錠剤の除包位置（錠剤の取出位置）まで搬送した後に開始される。
【００２９】
このような錠剤シートを搬送は、搬送機構１６として機能する下部ローラ３９及び上部ローラ（不図示）によって行われる。下部ローラ３９は進行方向に沿って互いに間隔をおいて複数設けられており、駆動源（不図示）により回転駆動可能であり、錠剤シートの重力方向に関して下面側に当接して錠剤シート５１に進行方法への力を加えて搬送することができる。
【００３０】
なお、錠剤取出ユニット１には、押圧される錠剤収容部の長さや押圧される錠剤収容部の位置を検知することができる検出機構１７が設けられており、これにより特定される錠剤収容部の長さや錠剤収容部の位置を用いて、最適な搬送距離を算出して搬送制御することもできる。すなわち、検出機構１７と搬送機構１６（下部ローラ３９、上部ローラ）によって、最適な取出位置に錠剤シートを搬送させて取出動作を行うことができる。
【００３１】
次に、押出し機構による錠剤の取出動作について説明する。押出し機構は、錠剤収容部の中央付近を押圧する内側押圧体８３と、内側押圧体８３を取り囲むように設けられ、中央付近よりも外側の部分を押圧する外側押圧体８４とを含んで設けられている。この内側押圧体８３と外側押圧体８４とが独立して動作することで錠剤シートの錠剤収容部を押圧し、錠剤シートから錠剤を取り出すことができる。具体的には押出し機構は、内側押圧体８３よりも先に外側押圧体８４により錠剤収容部を押圧するように制御される。
【００３２】
内側押圧体８３の先端は、錠剤取出ユニットに搭載されることが想定されるほとんどの錠剤シート５１の錠剤収容部よりも面積が狭くなるように設けられている。そのため、錠剤を取り出すために内側押圧体８３を下降させると、錠剤シートの錠剤収容部の面よりも重力方向に関して下側に至るまで先端が到達し、錠剤シート５１の金属箔に開いた穴から先端が下側に突き出ることになる。一方、外側押圧体８４の先端は、錠剤取出ユニットに搭載されることが想定されるほとんどの錠剤シート５１の錠剤収容部よりも面積が広いので、錠剤を取り出すために下降させても、錠剤シート５１の金属箔に開いた穴から先端が突き出ることはない。すなわち、外側押圧体８４を用いて最初に錠剤シート５１の錠剤収容部を押し潰し、その後内側押圧体８３で錠剤を確実に押し出すというように用いられる。
【００３３】
また、押出し機構は、外側押圧体８４を昇降させる第１昇降機構と、内側押圧体８３を昇降させる第２昇降機構も有しており、これらを動作させることにより、押圧体で錠剤を押し出すことができる。
【００３４】
第１昇降機構は、外側押圧体８４が取り付けられた第１昇降体９３と、回転駆動して第１昇降体９３を昇降させるカム９４と、第１昇降体９３を上昇方向に付勢する付勢部材（ばね）とを備えている。
【００３５】
第１昇降体９３は、前後方向にわたって延在する柱状体であり、前端部に外側押圧体８４が取り付けられている。カム９４は、外側押圧体８４の昇降動作を考慮して設計された形状の板状体であり、駆動機構によって回転駆動する軸部に固定されている。
【００３６】
カム９４は、第１昇降体９３の上面側に設けられ、軸部の回転に伴って回転駆動し、第１昇降体９３を押圧することによって高さ位置を調整し、これによって外側押圧体８４の高さ位置を調整する（外側押圧体８４の昇降動作を行う）ことができる。第１昇降機構は、カムの回転動作のタイミング、カムの形状、軸部に対するカムの固定位置などの設定によって、外側押圧体８４の昇降動作のタイミングや変位量を任意に設定できる。
【００３７】
第２昇降機構は、内側押圧体８３が取り付けられた第２昇降体９８と、回転駆動して第２昇降体９８を昇降させるカム９９と、第２昇降体９８を上昇方向に付勢する付勢部材（ばね）とを備えている。
【００３８】
第２昇降体９８は、前後方向にわたって延在する柱状体であり、前端部に内側押圧体８３が取り付けられている。カム９９は、第２昇降体９８の上面側に設けられ、軸部の回転に伴って回転駆動し、第２昇降体９８を押圧して高さ位置を調整し、これによって内側押圧体８３の高さ位置を調整する（内側押圧体８３の昇降動作を行う）ことができる。第２昇降機構は、カム９９の回転動作のタイミング、カムの形状、軸部に対するカムの固定位置などの設定によって、内側押圧体８３の昇降動作のタイミングや変位量を任意に設定できる。
【００３９】
このため、カム９４とカム９９は、それぞれ第１昇降体と第２昇降体に対して互いに独立に動作可能であり、内側押圧体８３と外側押圧体８４は、互いに独立に昇降動作させることができる。
【００４０】
押出し機構における２つのカムの回転動作のタイミング等は、錠剤位置検出機構の検出部からの信号に基づいて定めることができる。具体的には、検出された錠剤収容部の位置に合わせて内側押圧体８３と外側押圧体８４を動作させることができる。
【００４１】
このような押出し機構を制御することにより、錠剤シートから錠剤を取り出すことができる。そして、取出された錠剤は、載置台の下面側に設けられた導入シュート２４を介して錠剤導入路６０１に導かれる。
【００４２】
また、錠剤の取出動作を行ったにもかかわらず、錠剤が取り出せていないと判断された場合には、取出動作を継続（リトライ）する。具体的には、取出動作を行ったにもかかわらず、導入シュート２４に設けられている光学センサ２０４にて錠剤を検知できなかった場合に、錠剤が取り出せていないと判断してリトライ動作に移行する。またリトライ動作の際には、錠剤収容部の押圧を再度行う前に載置台１８上の押圧位置から所定の距離だけ搬送手段で錠剤シート５１を搬送させてずらし、この状態で押出し機構を用いて錠剤収容部を押圧してもよい。このような状態でリトライ動作を行うことにより、１度の取出動作で錠剤が取り出されなかったとしても、確実に錠剤を取り出すことができる。
【００４３】
さらに、錠剤取出ユニット１に、載置台１８上の錠剤シート５１の錠剤収容部を押圧する速度を変更させる変更機構を搭載し、リトライ動作時の押出し機構の押出し速度を通常の速度より高速に変更して錠剤収容部を押圧してもよい。
【００４４】
次に、錠剤供給装置１０の内部を横（正面から見て右側）から見た図である図６を用いて、錠剤取出動作により取り出された錠剤がどのように移動するか説明する。図６に示す矢印は、錠剤取出ユニット１から取り出された錠剤の移動経路を示している。
【００４５】
導入シュート２４を介して運ばれた錠剤は、錠剤導入路６０１を経由して第１集積ホッパー６０２に運ばれる。第１集積ホッパー６０２には、重力方向に重なっている複数の錠剤取出ユニット１により錠剤シートから取り出された錠剤が集積される。このような第１集積ホッパー６０２は、重力方向と交差する方向に複数設けられており、このような複数の第１集積ホッパー６０２により集積された錠剤は、さらに１つの第２集積ホッパー６０３に集積される。
【００４６】
そして第１の送り出し機構６０４が、第２集積ホッパー６０３に集積された錠剤５０を所定のタイミングで第３集積ホッパー６０５に移動させる。そして第３集積ホッパー６０５で、手撒き投入部１０２から投入された錠剤と錠剤供給装置１０から供給された錠剤とがまとめられ、１つの分包分の錠剤として、第２の送り出し機構６０６によって、包装ユニット７０１のメインホッパー７０７に送り出される。
【００４７】
なお、錠剤が取り出された除包済みの錠剤シートは、搬送機構１６によりさらに錠剤供給装置の後方側に向かって搬送され、排出路６０７へと排出され、排出ポケット６０８（廃棄ボックス）に集積される。排出ポケット６０８には、錠剤供給装置１０の前面側に開口扉が設けられており、排出された錠剤シートを容易に取り出すことができる。
【００４８】
次に、図７を用いて、包装ユニット７０１の内部構造について説明する。包装ユニット７０１は、包装装置５内に設けられたユニットである。
【００４９】
メインホッパー７０７は、散薬投入部１０３に投入された薬剤や手撒き投入部１０２に投入された錠剤や錠剤供給装置１０により供給された錠剤を集積し、包装シート（分包紙）の中にこれらを投入するために用いられる。
【００５０】
ロール紙送出機構７０２は、包装シートが連なるロール紙（分包紙がロール状になっている紙）を送り出す機構である。包装機構７０３及び包装機構７０４は、包装シートを加熱し溶着させる機構であり、包装機構７０３は、包装シートの送り出し方向と交差する方向に包装シートを溶着させることができ、包装機構７０４は、包装シートの送り出し方向に沿った方向に包装シートを溶着させることができる。
【００５１】
このような包装機構７０３，７０４を用い包装シートを加熱し溶着することにより、１回分の錠剤（薬剤）を１つにまとめて分包することができる。そして、このように個々に分包された包装シートは、分断機構７０５によって其々１包毎の包装シートに分断するための分断用ミシン目を入れられる。
【００５２】
さらに、印字機構７０６によって、包装シートには、日付、患者データ、エラー情報を印字することができる。なお包装シートとしては、表面に熱溶着可能な樹脂材をコーティングした紙のみならず、中身を視認することができる透明なフィルム材を用いることもできる。
【００５３】
次に、調剤業務の担当者（以下、使用者とも称する）によってこのような錠剤供給装置を使用する際の従来発生していた状況を、図を用いて説明する。
【００５４】
図８（ａ）は、処方箋の一例を示した図である。このように患者ごとに処方箋の処方内容が異なるため、使用する錠剤シートの数すなわち使用する錠剤取出ユニットの数は異なっており、例えば処方箋８００の場合には、錠剤取出ユニットを５か所使用するが、処方箋８０１の場合には錠剤取出ユニットを１か所しか使用しない。
【００５５】
そして、大抵の使用者は、処方箋に記載されている順に、薬品を錠剤取出ユニットのユニット１から順に投入していく。処方箋８００の例では、ＡＡＡ錠はユニット１に、ＢＢＢ錠はユニット２に、ＣＣＣ錠はユニット３に、ＤＤＤ錠はユニット４に、ＥＥＥ錠はユニット５に投入される。また、処方箋８０１の例では、ＢＡＢ錠をユニット１に投入されることになる。その結果、大抵の使用者が、図８（ｂ）に示すユニットと動作回数の関係のように、ユニット１から順に動作実績が多くなるように錠剤シートを投入して錠剤供給装置を利用することになる。図８（ｂ）のグラフは、ある調剤薬局で４か月間使用された錠剤供給装置のユニット１〜１２の動作回数を示している。ここからわかるように、ユニット１はユニット１２と比べて４倍近く使用されていることがわかる。
【００５６】
しかしながら、このように使用者が自由に利用する錠剤取出ユニットの位置を決め、特定の錠剤取出ユニットのみが高頻度に利用されてしまうと、あまり利用されていない錠剤取出ユニットには不具合は発生しなくとも、高頻度に利用された錠剤取出ユニットに不具合が生じてしまい、錠剤供給装置のメンテナンスが早期に必要となってしまうことになる。すなわち、調剤作業を行うことができなくなり装置のメンテナンス担当者を呼ぶことになり、業務に支障をきたすことになってしまう頻度が高くなってしまう。
【００５７】
そこで、本実施形態においては、錠剤取出ユニットの動作実績を錠剤取出ユニットごとに記憶させておき、この動作実績を用いて平均的に錠剤取出ユニットが使用されるように錠剤シートを投入すべき錠剤取出ユニットの位置を決定し、ユーザに通知させることにより、特定の錠剤取出ユニットが高頻度に利用されてしまう状況を防止し、錠剤供給装置のメンテナンスが必要となる頻度を低減できるようにしている。
【００５８】
（第１の実施形態）
以下、第１の実施形態として、動作実績として錠剤取出動作が行われる動作回数を錠剤取出ユニットごとに記憶し、この動作回数を用いて投入すべき錠剤取出ユニットの位置を決定する仕組みを詳細に説明する。
【００５９】
まず図９のフローチャートを用いて、錠剤取出動作の流れを説明する。このような制御は、錠剤供給装置１０のＣＰＵ１１が記憶されている制御プログラムを読み出して実行することにより実現される。
【００６０】
Ｓ１０１では、錠剤供給装置１０のＣＰＵ１１が、既に除包されている錠剤の除包数が処方データで指定された除包数となり除包動作が完了しているか否かを判断する。具体的には、光学センサ２０４が錠剤取出ユニット１ごとに検知した錠剤数の総数を錠剤数カウントデータとして記憶部にデータ管理しておくことにより、取出動作が完了したかどうかを判断することができる。
【００６１】
ここで完了していると判断されている場合には、取出動作は完了したとして錠剤シートを排出ユニットに排出させて終了し、除包数に達していない場合には、Ｓ１０２に進む。
【００６２】
Ｓ１０２では、錠剤供給装置１０のＣＰＵ１１が、搬送機構１６によって、錠剤取出位置になるように錠剤シートを搬送する。連続的に取出動作を行っている場合には、錠剤収容部の間隔に１列分だけ錠剤シートの搬送を行う。
【００６３】
Ｓ１０３では、錠剤供給装置１０のＣＰＵ１１が、押出し機構に左側の錠剤収容部からの錠剤取出動作を行わせる。Ｓ１０４では、錠剤供給装置１０のＣＰＵ１１が、錠剤ユニットの動作回数を管理する動作回数テーブルのカウントを１回インクリメントさせ、Ｓ１０５に進む。本実施形態では、動作回数テーブルは情報処理装置３００に記憶されており、上述の取出動作が行われるごとに、錠剤供給装置１０のＣＰＵ１１は、情報処理装置３００に対して動作回数カウントアップすうように指示している。
【００６４】
Ｓ１０５では、錠剤供給装置１０のＣＰＵ１１が、取出動作を行ってから所定時間以内に光学センサ２０４で錠剤の通過を検出（取り出し成功）したか否かで１錠検出したかを判断する。錠剤が検出されなかった場合には、Ｓ１０６に進み錠剤取出動作のリトライ動作を行う。そして、Ｓ１０７に示すようにリトライ動作時も動作回数として、錠剤ユニットの動作回数を管理する動作回数テーブルのカウントを１回インクリメントさせ、Ｓ１０８に進む。
【００６５】
Ｓ１０８では、錠剤供給装置１０のＣＰＵ１１が、取出動作を行ってから所定時間以内に光学センサ２０４で錠剤の通過を検出（取り出し成功）したか否かで１錠検出したかを判断する。そして錠剤が検出されなかった場合には、Ｓ１０９で搬送機構１６により錠剤の除包位置を変更させ、Ｓ１０６に戻り再度リトライ除包動作を行う。
【００６６】
Ｓ１０５及びＳ１０８で錠剤が検出された場合には、Ｓ１１０において、既に除包されている錠剤の除包数が処方データで指定された除包数となり除包動作が完了しているか否かを判断する。具体的には、光学センサ２０４が錠剤取出ユニット１ごとに検知した錠剤数の総数を錠剤数カウントデータとして記憶部にデータ管理しておくことにより、取出動作が完了したかどうかを判断することができる。ここで完了していると判断されている場合には、取出動作は完了したとして錠剤シートを排出ユニットに排出させて終了し、除包数に達していない場合には、Ｓ１１１に進む。
【００６７】
Ｓ１１１では、錠剤供給装置１０のＣＰＵ１１が、押出し機構に右側の錠剤収容部からの錠剤取出動作を行わせる。Ｓ１１２では、錠剤供給装置１０のＣＰＵ１１が、錠剤ユニットの動作回数を管理する動作回数テーブルのカウントを１回インクリメントさせ、Ｓ１１３に進む。
【００６８】
Ｓ１１３では、錠剤供給装置１０のＣＰＵ１１が、取出動作を行ってから所定時間以内に光学センサ２０４で錠剤の通過を検出（取り出し成功）したか否かで１錠検出したかを判断する。錠剤が検出されなかった場合には、Ｓ１１４に進み錠剤取出動作のリトライ動作を行う。そして、Ｓ１１５に示すようにリトライ動作時も動作回数として、錠剤ユニットの動作回数を管理する動作回数テーブルのカウントを１回インクリメントさせ、Ｓ１１６に進む。
【００６９】
Ｓ１１６では、錠剤供給装置１０のＣＰＵ１１が、取出動作を行ってから所定時間以内に光学センサ２０４で錠剤の通過を検出（取り出し成功）したか否かで１錠検出したかを判断する。そして錠剤が検出されなかった場合には、Ｓ１１７で搬送機構１６により錠剤の除包位置を変更させ、Ｓ１１４に戻り再度リトライ除包動作を行う。
【００７０】
一方、Ｓ１１３及びＳ１１６で錠剤が取り出されたと判断された場合には、Ｓ１０１に戻り、所定数除包が完了したかを判断する。
【００７１】
以上のように、錠剤の取出動作が行われるごとに動作回数テーブルのカウントをインクリメントさせ、錠剤取出ユニットごとに動作回数をカウントしている。なお、通常の取出動作のみならずリトライ動作による回数もカウントしておくことにより、より高精度な動作回数とすることができる。
【００７２】
このような動作回数テーブルを記憶する記憶手段としては、錠剤供給装置１０内のメモリを使用してもよいが、情報処理装置３００内のメモリに記憶させてもよい。
【００７３】
情報処理装置３００のメモリに格納されている動作回数テーブルの一例を図１３に示す。動作回数テーブルには、錠剤取出ユニット１３０１の番号ごとに、動作回数１３０２、割当有無１３０３が記憶されている。なお、本実施形態においては左側の動作回数と右側の動作回数とを合算して動作回数としているが、左側と右側とを別々にカウントしてもよい。
【００７４】
次に、図１０乃至１２のフローチャートを用いて、情報処理装置３００が処方箋データによって特定される錠剤の錠剤シートを錠剤取出ユニットのいずれに投入すべきかを決定し、使用者に通知する流れを説明する。このような制御は、情報処理装置３００のＣＰＵ３０が記憶されている制御プログラムを読み出して実行することにより実現される。
【００７５】
Ｓ２０１では、情報処理装置３００のＣＰＵ３０は、（１）包装装置５に設けられたタッチパネル式のディスプレイ１０１で入力される処方内容、（２）情報処理装置３００にユーザによって直接入力される処方内容、（３）情報処理装置４００から取得する処方箋データのいずれかから、処方データを取得する。そして、処方データに含まれる薬剤の種類分以下の処理を繰り返す。
【００７６】
Ｓ２０２では、情報処理装置３００のＣＰＵ３０は、薬剤が錠剤であるか否かを判断する。錠剤であると判断した場合には、Ｓ２０３に進む。
【００７７】
Ｓ２０３では、情報処理装置３００のＣＰＵ３０は、処方箋データに含まれる錠剤を解析し、薬剤に服薬量が設定されているか判断する。設定されている場合には、Ｓ２０４に進む。
【００７８】
Ｓ２０４では、情報処理装置３００のＣＰＵ３０は、既に錠剤シートが割り当てられている錠剤取出ユニットの数が錠剤供給装置に搭載されている錠剤取出ユニットの数（すなわち上限数）を超えたかどうかを判断する。超えている場合には、錠剤取出ユニットの割当はもう行えないため終了する。一方、超えていない場合には、Ｓ２０５に進み処理を継続する。
【００７９】
Ｓ２０５では、情報処理装置３００のＣＰＵ３０は、使用可能な錠剤取出ユニットが存在するかを判断する。これは錠剤供給装置に搭載されている錠剤ユニットの数を超えていなかったとしても、不具合により使用できないユニットが存在する場合もあるためであり、予め使用不可のユニットを情報処理装置３００内に記憶しておくことによりこのような制御が可能となる。ここで使用可能な錠剤取出ユニットが存在する場合には、Ｓ２１０に進み割当処理を行う。図１１を用いてＳ２１０の割当処理の流れを詳細に説明する。
【００８０】
図１１のＳ４０１では、情報処理装置３００のＣＰＵ３０は、メモリに記憶されている薬剤マスタのデータベースに錠剤が登録済みであるかを検索する。登録済みである場合には、Ｓ４０２に進み、薬剤マスタから錠剤データを取得する。
【００８１】
Ｓ４０３では、情報処理装置３００のＣＰＵ３０は、取得した錠剤データを参照して当該錠剤が手撒きフラグが設定された錠剤であるかどうかを確認する。Ｓ４０３で手撒きフラグが設定された錠剤でない場合には、錠剤供給装置を用いた錠剤の取出動作を行えるといえるため、Ｓ４０４に進む。一方、手撒きフラグが設定されている場合には、Ｓ４１５に進み錠剤に錠剤取出ユニットの番号を割り当てることなく終了する。
【００８２】
Ｓ４０４では、情報処理装置３００のＣＰＵ３０は、配置エリアが既に設定されている錠剤であるかを判断する。例えば割れやすい錠剤の場合には割れる確率を低減するために、下段の錠剤取出ユニットに搭載されることが好ましい。そのため、予めどの取出ユニットを優先的に使用させるかを設定させておくことができ、その場合には配置エリアが既に設定されている錠剤であるとしてＳ４０５に進む。
【００８３】
Ｓ４０５では、情報処理装置３００のＣＰＵ３０は、配置エリアとして設定されている錠剤取出ユニットの番号をメモリから取得する。そして、Ｓ４０６において、取得した番号の錠剤取出ユニットは空きであるか判断し、空きである場合にはＳ４０７に進み配置エリア設定の錠剤取出ユニットの番号を割り当てる。そして、このように割り当てられた錠剤取出ユニットの図１３の動作回数テーブルの割当有無１３０３を割当済に変更しておく。
【００８４】
一方、Ｓ４０６において取得した番号の錠剤取出ユニットが使用されている場合には、Ｓ４１５に進み、当該錠剤に錠剤取出ユニットの番号を割り当てることなく、次に進む。その後ユーザに対して、当該錠剤は錠剤取出ユニットが割り当てられなかったため手撒きする必要があることを通知して手撒き投入部に投入させることで、割れやすい錠剤であっても分包動作を行うことができる。
【００８５】
次に、Ｓ４０４で、配置エリアが設定されていない場合には、Ｓ４１３に進みユニットＮｏ．決定処理を行う。すなわち、手撒きフラグが設定されておらず配置エリアが設定されていないような、予め定められている条件では錠剤取出ユニットを決定できない場合には、Ｓ４１３の決定処理により使用するユニット番号の決定を行う。次に図１２を用いてユニットＮｏ．決定処理の詳細な流れを説明する。
【００８６】
図１２のＳ５０１では、情報処理装置３００のＣＰＵ３０は、メモリに記憶された動作回数テーブルから、まだ割り当てられていない錠剤取出ユニットのうち動作回数が最も少ないユニットＮｏ．を取得する。割り当て済みであるかどうかは、図１３の動作回数テーブルの割当有無１３０３を参照して判断することができる。
【００８７】
次に、Ｓ５０２では、情報処理装置３００のＣＰＵ３０は、取得した動作回数が最も少ないユニットが複数あるか判断する。複数ある場合には、Ｓ５０３に進み、図１４（ａ）に示すような錠剤取出ユニットの選択画面１４００を表示する。この図１４（ａ）は、ユニットＮｏ．２とユニットＮｏ．３が最も動作回数が少ないユニット１４０１であり、かつ、動作回数が同じ場合の例である。使用者はいずれかを選択することで、錠剤取出ユニットを設定することができる。なお、使用者に設定されずに自動で設定してもよい。
【００８８】
次に、Ｓ５０４では、Ｓ５０１で取得されたもっとも少ない動作回数のユニット（または使用者によって選択された、錠剤取出ユニット）を、割当ユニットとして決定する。さらに、図１４（ｂ）に示すような表示画面１４０２を用いて、割り当てられた錠剤取出ユニットの番号を通知するようにしてもよい。
【００８９】
このように、まだ割り当てられていない錠剤取出ユニットのうち、動作回数が最も少ないユニットから順番に錠剤取出ユニットを決定することにより、複数の錠剤取出ユニットのうち、特定の錠剤取出ユニットが高頻度に利用されてしまう状況を防止でき、錠剤供給装置のメンテナンスの回数が必要となる頻度を低減することができる。
【００９０】
図１１に戻り説明を続ける。Ｓ４１３でユニットＮｏ．の決定処理が終わると、Ｓ４１４に進み、取得した未使用の錠剤取出ユニットの番号を、割当中の錠剤の錠剤シートを投入する錠剤取出ユニットとして割り当て設定を行う。そして、このように割り当てられた錠剤取出ユニットの図１３の動作回数テーブルの割当有無１３０３を割当済に変更しておく。
【００９１】
さらに、図１０に戻り説明を続ける。Ｓ２１０による割当処理が終了すると、錠剤に対する錠剤取出ユニットが決定される。すなわち、錠剤取出手段のいずれの位置に、どの錠剤シートを投入すべきかが決定される。
【００９２】
そして、このような処理を処方データに含まれる薬剤の種類だけ繰り返し行う。このような繰り返し動作の順番は処方データの登録順（上から順）とすることもできるが、処方データで使用する錠剤の使用数（取出数）が最も多い薬剤から順番に行ってもよい。このように錠剤の使用数が多いものから順に割当処理を行うことにより、使用量が多い錠剤を、より確実に動作回数の少ない錠剤取出ユニットに積極的に割り当てることができ、錠剤取出ユニットの動作回数の平均化を達成することができる。
【００９３】
Ｓ２１２では、情報処理装置３００のＣＰＵ３０は、図１５に示すような、どの錠剤をどの錠剤取出ユニットの投入口に投入すべきかを示す表示画面１５００をディスプレイ３２に表示させることにより、使用者に対して、好ましい錠剤シートの投入位置を通知する。これにより使用者は、特定の錠剤取出手段が高頻度に利用されてしまう状況を防止できる投入位置に錠剤シートを投入することができるようになる。
【００９４】
（第２の実施形態）
次に、図１６及び図１７を用いて、錠剤取出ユニットの割当処理の別の実施形態を説明する。図１１の割当処理では前回の割当内容を加味せずに割当処理を行っているが、本実施形態においては、前回の割当内容を加味して割当処理を行う場合を説明する。このような割当処理は、複数の処方データを用いて連続して分包動作を行う際に、既に投入口に投入されている錠剤シートの位置を変更するという使用者の手間を削減することができるため、好ましいと言える。
【００９５】
図１６は、図１０のフローチャートに対応したものであり、同じ処理については説明を省略し、異なる処理についてのみ説明を行う。
【００９６】
Ｓ６０１では、情報処理装置３００のＣＰＵ３０は、（１）包装装置５に設けられたタッチパネル式のディスプレイ１０１で入力される処方内容、（２）情報処理装置３００にユーザによって直接入力される処方内容、（３）情報処理装置４００から取得する処方箋データのいずれかから、処方データを取得する。そして、処方データに含まれる薬剤の種類分以下の処理を繰り返す。
【００９７】
Ｓ６０２では、情報処理装置３００のＣＰＵ３０は、薬剤が錠剤であるか否かを判断する。錠剤であると判断した場合には、Ｓ６０３に進む。
【００９８】
Ｓ６０３では、情報処理装置３００のＣＰＵ３０は、処方箋データに含まれる錠剤を解析し、薬剤に服薬量が設定されているか判断する。設定されている場合には、Ｓ６０４に進む。
Ｓ６０４では、情報処理装置３００のＣＰＵ３０は、既に錠剤シートが割り当てられている錠剤取出ユニットの数が錠剤供給装置に搭載されている錠剤取出ユニットの数（すなわち上限数）を超えたかどうかを判断する。超えている場合には、錠剤取出ユニットの割当はもう行えないため終了する。一方、超えていない場合には、Ｓ６０５に進み処理を継続する。
【００９９】
Ｓ６０５では、情報処理装置３００のＣＰＵ３０は、使用可能な錠剤取出ユニットが存在するかを判断する。Ｓ６０５で使用可能な錠剤取出ユニットが存在すると判断された場合には、Ｓ６０６に進み前回の割当内容による割当処理を行う。図１７のフローチャートを用いて、Ｓ６０６の前回の割当内容による割当処理を詳細に説明する。
【０１００】
図１７のＳ７０１では、情報処理装置３００のＣＰＵ３０は、メモリの割当情報保存部に記憶されている割当情報をもとに、前回の割当内容の中に同じ錠剤があるかを検索する。Ｓ７０２では、情報処理装置３００のＣＰＵ３０は、同じ錠剤が存在したかを判断する。同じ錠剤が存在した場合には、Ｓ７０３に進み、同じ錠剤の錠剤取出ユニットの番号を取得する。
【０１０１】
そして、Ｓ７０４では、情報処理装置３００のＣＰＵ３０は、Ｓ７０３で取得した錠剤取出ユニットは空きかどうかを判断する。Ｓ７０４で空きであると判断された場合には、Ｓ７０５に進み、前回の割当内容と同じ錠剤の錠剤取出ユニットの番号を割り当ている。一方、Ｓ７０４で空きでないと判断された場合には、Ｓ７０６に進み、錠剤に錠剤取出ユニットの番号を割り当てることなく終了し、図１６のＳ６０７に進む。
【０１０２】
Ｓ６０７以降の処理は、処方データに含まれる薬剤の種類分以下の処理を繰り返す。
【０１０３】
Ｓ６０７では、情報処理装置３００のＣＰＵ３０は、薬剤が錠剤であるか否かを判断する。錠剤であると判断した場合には、Ｓ６０８に進む。
【０１０４】
Ｓ６０８では、情報処理装置３００のＣＰＵ３０は、処方箋データに含まれる錠剤を解析し、薬剤に服薬量が設定されているか判断する。設定されている場合には、Ｓ６０９に進む。
Ｓ６０９では、情報処理装置３００のＣＰＵ３０は、錠剤に錠剤ユニットの番号が割り当てられているかを判断する。前回の割当内容による割当処理で既に割り当てられている場合には終了し、割り当てられていない場合には、Ｓ６１０に進む。
【０１０５】
Ｓ６１０では、情報処理装置３００のＣＰＵ３０は、既に錠剤シートが割り当てられている錠剤取出ユニットの数が錠剤供給装置に搭載されている錠剤取出ユニットの数（すなわち上限数）を超えたかどうかを判断する。超えている場合には、錠剤取出ユニットの割当はもう行えないため終了する。一方、超えていない場合には、Ｓ６１１に進み処理を継続する。
【０１０６】
Ｓ６１１では、情報処理装置３００のＣＰＵ３０は、使用可能な錠剤取出ユニットが存在するかを判断する。Ｓ６１１で使用可能な錠剤取出ユニットが存在すると判断された場合には、Ｓ６１２に進み、図１１及び１２で説明した割当処理を行う。
【０１０７】
そして、Ｓ６１３は、処方データに含まれる各錠剤と、割り当てられた錠剤取出ユニットの番号とを対応付けてメモリの割当情報保存部に上書き保存しておく。このように保存しておくことにより、次の処方データで割り当てをする際に、今回の割当内容を加味して割当処理を行うことができる。
【０１０８】
Ｓ６１４は、情報処理装置３００のＣＰＵ３０は、図１５に示すような、どの錠剤をどの錠剤取出ユニットの投入口に投入すべきかを示す表示画面１５００をディスプレイ３２に表示させることにより、使用者に対して、好ましい錠剤シートの投入位置を通知する。これにより使用者は、特定の錠剤取出手段が高頻度に利用されてしまう状況を防止できる投入位置に錠剤シートを投入することができるようになる。
【０１０９】
以上のように、前回の割当処理の内容を加味して錠剤取出ユニットの割当を行うことにより、連続して分包動作を行う際に、既に投入口に投入されている錠剤シートの位置を変更するという使用者の手間を削減することができる。
【０１１０】
（第３の実施形態）
第１の実施形態及び第２の実施形態では、動作実績として錠剤取出動が行われる動作回数を用いた例を用いて説明したが、本実施形態に示すように、動作実績として錠剤取出ユニットが搬送する錠剤シートの枚数（搬送回数）を用いてもよい。具体的には、錠剤取出ユニットが搬送する錠剤シートの枚数（搬送回数）を錠剤取出ユニットごとに記憶し、当該搬送回数を用いて投入すべき錠剤取出ユニットの位置を決定する。
【０１１１】
このような搬送回数１８０２が錠剤取出ユニット１８０１ごとに管理されている搬送回数テーブルの一例を図１８に示す。この搬送回数テーブルは、錠剤取出ユニットで錠剤シートが搬送されるごとにカウントが１回インクリメントされるように設けられており、錠剤シートの搬送回数を錠剤取出ユニットごとに管理している。
【０１１２】
この場合には、第１の実施形態で説明した図１２のユニットＮｏ．決定処理のフローチャートを図１９に変更することで、錠剤取出ユニットの位置を決定することができる。これ以外の処理については、第１の実施形態また第２の実施形態の処理と同様であるため、説明を省略する。
【０１１３】
図１９のＳ８０１では、情報処理装置３００のＣＰＵ３０は、メモリに記憶された搬送回数テーブルから、まだ割り当てられていない錠剤取出ユニットのうち搬送回数が最も少ないユニットＮｏ．を取得する。
【０１１４】
次に、Ｓ８０２では、情報処理装置３００のＣＰＵ３０は、取得した搬送回数が最も少ないユニットが複数あるか判断する。複数ある場合には、Ｓ８０３に進み、錠剤取出ユニットの選択画面１４００を表示する。
【０１１５】
次に、Ｓ８０４では、Ｓ８０１で取得されたもっとも少ない搬送回数のユニット（または使用者によって選択された、錠剤取出ユニット）を、割当ユニットとして決定する。
【０１１６】
このように、まだ割り当てられていない錠剤取出ユニットのうち、搬送回数が最も少ないユニットから順番に錠剤取出ユニットを決定することにより、複数の錠剤取出ユニットのうち、特定の錠剤取出ユニットが高頻度に利用されてしまう状況を防止でき、錠剤供給装置のメンテナンスの回数が必要となる頻度を低減することができる。
【０１１７】
なお、本発明における動作実績とは、第１乃至第３の実施形態で説明した錠剤の取出回数や錠剤シートの搬送回数に限られるわけではなく、錠剤取出ユニットの使用頻度が反映された値であればどのような実績であってもよい。
【符号の説明】
【０１１８】
１  錠剤取出ユニット
５  分包装置
１０  錠剤供給装置
２０４  光学センサ
３００  情報処理装置
４００  情報処理装置
【図１】
2016064121.tif 000003
【図２】
2016064121.tif 000004
【図３】
2016064121.tif 000005
【図４】
2016064121.tif 000006
【図５】
2016064121.tif 000007
【図６】
2016064121.tif 000008
【図７】
2016064121.tif 000009
【図８】
2016064121.tif 000010
【図９】
2016064121.tif 000011
【図１０】
2016064121.tif 000012
【図１１】
2016064121.tif 000013
【図１２】
2016064121.tif 000014
【図１３】
2016064121.tif 000015
【図１４】
2016064121.tif 000016
【図１５】
2016064121.tif 000017
【図１６】
2016064121.tif 000018
【図１７】
2016064121.tif 000019
【図１８】
2016064121.tif 000020
【図１９】
2016064121.tif 000021
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
投入部に投入された錠剤シートから錠剤を取り出す錠剤取出動作を行う複数の錠剤取出手段と、
前記錠剤取出手段の動作実績を、前記錠剤取出手段ごとに記憶する記憶手段と、
処方データに含まれる錠剤の情報を取得する取得手段と、
前記取得手段で取得した錠剤の錠剤シートを前記複数の錠剤取出手段のいずれの投入部に投入すべきかを、前記記憶手段に記憶された動作実績を用いて決定する決定手段と、
を有することを特徴とする錠剤取出装置。
【請求項２】
前記決定手段は、予め定められている条件に基づいて前記取得手段で取得した錠剤の情報に対応する錠剤シートを前記錠剤取出手段のいずれの投入部に投入するべきか決定するものであり、予め定められている条件に基づいて前記複数の錠剤取出手段のいずれの投入部に投入すべきかを決定できなかった場合に、前記記憶手段に記憶された動作実績に基づいて決定することを特徴とする請求項
１に記載の錠剤取出装置。
【請求項３】
前記決定手段は、予め定められている条件に基づいて前記錠剤取出手段のいずれの投入部に投入すべきかを決定できなかった場合に、前記複数の錠剤取出手段のうち、前記動作実績が最も少ない錠剤取出手段に錠剤シートを割り当てることを特徴とする請求項２に記載の錠剤取出装置。
【請求項４】
前記決定手段は、前記動作実績が最も少ない錠剤取出手段が複数ある場合には、ユーザに当該複数の錠剤取出手段のうちいずれの錠剤取出手段に割り当てるかを選択させ、当該選択された錠剤取出手段に錠剤シートを投入すべきと決定することを特徴とする請求項３に記載の錠
剤取出装置。
【請求項５】
前記動作実績は、錠剤取出動作が行われた動作回数であることを特徴とする請求項１乃至４のいずれか１項に記載の錠剤取出装置。
【請求項６】
前記錠剤取出手段による錠剤取出動作によって錠剤が取り出されたかを判断する判断手段と、
前記判断手段により、錠剤取出動作により錠剤が取り出されなかったと判断された場合に、前記錠剤取出手段に再度の錠剤取出動作を行わせるように制御する制御手段とを更に有し、
前記記憶手段は、前記錠剤取出動作及び前記再度の錠剤取出動作のいずれも、動作回数として記憶していることを特徴とする請求項５に記載の錠剤取出装置。
【請求項７】
前記動作実績は、前記錠剤取出手段へ錠剤シートを搬送する搬送回数であることを特徴とする請求項１乃至４のいずれか１項に記載の錠剤取出装置。
【請求項８】
前記取得手段が複数の錠剤の情報を取得した場合には、前記決定手段は、錠剤の取出数が多いものから前記複数の錠剤取出手段のいずれの投入部に投入すべきかを決定すること
を特徴とする請求項１乃至７のいずれか１項に記載の錠剤取出装置。
【請求項９】
錠剤シートから錠剤を取り出す錠剤取出動作を行う複数の錠剤取出手段を備える錠剤取出装置の制御方法であって、
前記錠剤取出手段の動作実績を、前記錠剤取出手段ごとに記憶手段に記憶する記憶工程と、
処方データに含まれる錠剤の情報を取得する取得工程と、
前記取得工程で取得した錠剤の錠剤シートを前記複数の錠剤取出手段のいずれの投入部に投入すべきかを、前記記憶手段に記憶された動作実績を用いて決定する決定工程と、
を有することを特徴とする制御方法。
【手続補正２】
【補正対象書類名】明細書
【補正対象項目名】０００８
【補正方法】変更
【補正の内容】
【０００８】
上記課題を解決するために、本発明の錠剤取出装置では、投入部に投入された錠剤シートから錠剤を取り出す錠剤取出動作を行う複数の錠剤取出手段と、前記錠剤取出手段の動作実績を、前記錠剤取出手段ごとに記憶する記憶手段と、処方データに含まれる錠剤の情報を取得する取得手段と、前記取得手段で取得した錠剤の錠剤シートを前記複数の錠剤取出手段のいずれの投入部に投入すべきかを、前記記憶手段に記憶された動作実績を用いて決定する決定手段と、を有することを特徴としている。